(57)【特許請求の範囲】
【請求項１】
コマンドまたはデータを受けて蓄積し、この蓄積したコマンドまたはデータを用いてデータ処理を行うと共に、リセットとなると前記蓄積したコマンドまたはデータが消失するように構成されたデータ処理ブロックと、
前記データ処理ブロックにコマンドまたはデータを与える共に、前記データ処理ブロックがリセットとなると再度コマンドまたはデータを与える制御ブロックとを具備するデータ処理装置において、
前記データ処理ブロックに設けられ、出力状態と入力状態との切り替えが可能な入出力ポートと、
この入出力ポートに対して信号レベルが適宜変化する信号を送出する信号送出手段と、
リセットとなると前記入出力ポートを出力状態とし、前記制御ブロックからの制御に応じて前記入出力ポートの状態を変化させるポート制御手段とを有し、
前記制御ブロックは、前記信号送出手段により前記入出力ポートへ送出される信号を監視して、監視結果に基づき再度コマンドまたはデータを与える処理を実行することを特徴とするデータ処理装置。
【請求項２】
前記制御ブロックは、再度コマンドまたはデータを与える処理を実行する際には、前記入出力ポートの状態を入力状態に変化させることを特徴とする請求項１に記載のデータ処理装置。
【請求項３】
コマンドまたはデータを受けて蓄積し、この蓄積したコマンドまたはデータを用いて電話に関する処理を行うと共に、リセットとなると前記蓄積したコマンドまたはデータが消失するように構成されたコーデックと、
前記コーデックにコマンドまたはデータを与える共に、前記コーデックがリセットとなると再度コマンドまたはデータを与えるマイクロコンピュータとを具備するディジタルボタン電話機において、
前記コーデックに設けられ、出力状態と入力状態との切り替えが可能な入出力ポートと、
主装置と前記コーデックとの間で伝送処理を行うと共に、前記入出力ポートに対して信号レベルが適宜変化する信号を送出する伝送処理ブロックと、
リセットとなると前記入出力ポートを出力状態とし、前記マイクロコンピュータからの制御に応じて前記入出力ポートの状態を変化させるポート制御手段とを有し、
前記マイクロコンピュータは、前記伝送処理ブロックにより前記入出力ポートへ送出される信号を監視して、監視結果に基づき再度コマンドまたはデータを与える処理を実行することを特徴とするディジタルボタン電話機。
【請求項４】
前記マイクロコンピュータは、再度コマンドまたはデータを与える処理を実行する際には、前記入出力ポートの状態を入力状態に変化させることを特徴とする請求項３に記載のディジタルボタン電話機。
【発明の詳細な説明】
【０００１】
【発明の属する技術分野】
この発明は、コマンドまたはデータを受けて蓄積し、この蓄積したコマンドまたはデータを用いてデータ処理を行うと共に、リセットとなると蓄積したコマンドまたはデータが消失するように構成されたデータ処理ブロックを具備するデータ処理装置、ディジタルボタン電話機に関するものである。
【０００２】
【従来の技術】
従来、ディジタルボタン電話機は、ボタン電話装置の主装置に接続されるものであり、図４に示されるように構成されている。ディジタルボタン電話機は、主装置との間で情報の送受を行うピンポン伝送ＩＣ１、多機能コーデック２、ＭＰＵ（マイクロコンピュータ）３、入出力コントローラ４、ダイヤルキーやＬＥＤ及びフックスイッチ等から構成される入出力部５を備える。
【０００３】
ピンポン伝送ＩＣ１は、ディジタル信号によって音声信号及び制御信号を送受する。ピンポン伝送ＩＣ１のＢ１ｏｕｔ端子は、主装置から送られてきたディジタル音声信号を出力する端子であり、Ｂ１ｉｎ端子は、多機能コーデック２から到来するディジタル音声信号の入力端子である。
【０００４】
また、ピンポン伝送ＩＣ１のＢＣＬＫ端子は、上記の２つのディジタル音声信号の基本クロックの出力端子であり、基本クロックの１クロックと音声信号の１ビットが対応する。また、Ｆｓｙｎｋ端子は、フレームクロックの出力端子であり、基本クロックの所定個毎にフレームクロックの１クロックが現れ、音声データの区切りを示す。
【０００５】
多機能コーデック（ＣＯＤＥＣ）２は、主装置から受信したディジタル信号の復号化及びアナログ化を行い、また、主装置へ送出するアナログ信号の符号化及びディジタル化を行うものである。符号化と復号化はコーダ／デコーダ２１が行い、アナログ化はＤＡコンバータ２３、２５が行い、ディジタル化はＡＤコンバータ２４、２６が行う。
【０００６】
スピーチネットワーク２２は、ディジタル信号の状態においてハンドセットやスピーカホンというような通話形態の相違に応じた信号レベルへの変換を行う音声スイッチやエコーキャンセラまた信号経路を切り替えるマルチプレクサ等を含むものである。ＤＡコンバータ２３、２５、ＡＤコンバータ２４、２６はアナログアンプを介してハンドセット６１、スピーカ６２、マイクロホン６３に接続されている。
【０００７】
また、多機能コーデック２に備えられているＭＰＵインタフェース２７には、ＭＰＵ３により与えられるコマンドやデータを蓄積しておくためのレジスタ２７Ｒが備えられており、このレジスタ２７Ｒに書き込まれた情報（コマンド、データ）を受けてＭＰＵインタフェース２７は通話回路のゲイン、音声信号の経路制御等を行う。
【０００８】
ＭＰＵ３は、入出力コントローラ４を介して入出力部５におけるフックスイッチの動きやキー操作に係る情報を受け取り、またＬＥＤの点灯や消灯の制御を行う。また、ＭＰＵ３は、ピンポン伝送ＩＣ１を介して主装置と制御信号の送受を行うと共に、ＭＰＵインタフェース２７のレジスタ２７Ｒに書き込むべきコマンドやデータ等を与えて多機能コーデック２の制御を行っている。
【０００９】
上記のディジタルボタン電話機においては、多機能コーデック２が多機能で複雑な構成を有するようになっているために、例えば、ハンドセット６１、スピーカ６２、マイクロホン６３等から静電気等の外乱要因によって多機能コーデック２がリセットし、レジスタ２７Ｒの内容が消失する可能があった。レジスタ２７Ｒの内容が消失すると、現状の維持ができず、また次の処理を行い得ないことから通話状態が維持できないなどの不具合が発生する。
【００１０】
そこで、従来においては適当な時間間隔によりＭＰＵ３がレジスタ２７Ｒへ同じ内容のコマンドやデータを繰り返し重ね書きしている。しかしながら、この動作はリセットが生じない限り無駄な動作であるばかりでなく、ＭＰＵ３が行う入出力部５におけるフックスイッチの動きやキー操作に係る情報の受け取りやＬＥＤの点灯や消灯の制御処理より高速に処理する必要があり、ディジタルボタン電話機を高機能化する必要に迫られ、コスト高を招来した。また、多機能コーデック側も同じデータを再三書き込むことになり、本来の信号処理能力の一部を書き込みの時間に奪われることとなり、多機能コーディックの能力が損なわれる。
【００１１】
これに対する対策としては、例えば、図５に示すような構成を採用することができる。図４のディジタルボタン電話機と同一構成要素に同一符号を付して示した図５のディジタルボタン電話機は、多機能コーデック２ＡのＭＰＵインタフェース２７にＩＯポート２８を接続し、ＭＰＵ３の指示によりＭＰＵインタフェース２７がＩＯポート２８に初期状態とは異なる信号を書き込み、このＩＯポート２８の出力信号を定期的にＭＰＵ３が検出するように構成されている。
【００１２】
上記図５に示した手法によると、ＭＰＵ３は定期的に自己の入力ポートの値を検出するだけで良く、コマンド等の書き込みが不要であることから負荷を軽減することができる。
【００１３】
【発明が解決しようとする課題】
しかしながら、上記の図５のディジタルボタン電話機の構成によると、多機能コーデック２ＡにＩＯポート２８の１端子を設ける必要があり、多機能コーデックが標準化されていることから１端子の増加は不可能である。
【００１４】
本発明は上記のような従来のディジタルボタン電話機の問題点を解決せんとしてなされたもので、その目的は、リセットにより蓄積したコマンドまたはデータが消失することに対応するために高速処理を行う必要がなく、また、標準化されたポート数の構成を変えることなく適切な処理を行うデータ処理装置及びディジタルボタン電話機を提供することである。
【００１５】
【課題を解決するための手段】
本発明の請求項１に記載のデータ処理装置は、コマンドまたはデータを受けて蓄積し、この蓄積したコマンドまたはデータを用いてデータ処理を行うと共に、リセットとなると前記蓄積したコマンドまたはデータが消失するように構成されたデータ処理ブロックと、前記データ処理ブロックにコマンドまたはデータを与える共に、前記データ処理ブロックがリセットとなると再度コマンドまたはデータを与える制御ブロックとを具備するデータ処理装置において、前記データ処理ブロックに設けられ、出力状態と入力状態との切り替えが可能な入出力ポートと、この入出力ポートに対して信号レベルが適宜変化する信号を送出する信号送出手段と、リセットとなると前記入出力ポートを出力状態とし、前記制御ブロックからの制御に応じて前記入出力ポートの状態を変化させるポート制御手段とを有し、前記制御ブロックは、前記信号送出手段により前記入出力ポートへ送出される信号を監視して、監視結果に基づき再度コマンドまたはデータを与える処理を実行することを特徴とする。これによって、リセットとなると入出力ポートが出力状態となり、信号送出手段により入出力ポートへ送出される信号が検出できなくなるので、リセットとなったことを検出でき、再度コマンドまたはデータを与えることができる。
【００１６】
本発明の請求項２に記載のデータ処理装置は、前記制御ブロックが、再度コマンドまたはデータを与える処理を実行する際には、前記入出力ポートの状態を入力状態に変化させることを特徴とする。これによって、再度コマンドまたはデータを与える処理を実行する際に、入出力ポートの状態が入力状態に変化さられて信号レベルが適宜変化する信号が入力するようになる。
【００１７】
本発明の請求項３に記載のディジタルボタン電話機は、コマンドまたはデータを受けて蓄積し、この蓄積したコマンドまたはデータを用いて電話に関する処理を行うと共に、リセットとなると前記蓄積したコマンドまたはデータが消失するように構成されたコーデックと、前記コーデックにコマンドまたはデータを与える共に、前記コーデックがリセットとなると再度コマンドまたはデータを与えるマイクロコンピュータとを具備するディジタルボタン電話機において、前記コーデックに設けられ、出力状態と入力状態との切り替えが可能な入出力ポートと、主装置と前記コーデックとの間で伝送処理を行うと共に、前記入出力ポートに対して信号レベルが適宜変化する信号を送出する伝送処理ブロックと、リセットとなると前記入出力ポートを出力状態とし、前記マイクロコンピュータからの制御に応じて前記入出力ポートの状態を変化させるポート制御手段とを有し、前記マイクロコンピュータは、前記伝送処理ブロックにより前記入出力ポートへ送出される信号を監視して、監視結果に基づき再度コマンドまたはデータを与える処理を実行することを特徴とする。これによって、リセットとなると入出力ポートが出力状態となり、信号送出手段により入出力ポートへ送出される信号が検出できなくなり、リセットとなったことを検出でき、再度コマンドまたはデータを与えることができる。
【００１８】
本発明の請求項４に記載のディジタルボタン電話機は、前記マイクロコンピュータが、再度コマンドまたはデータを与える処理を実行する際には、前記入出力ポートの状態を入力状態に変化させることを特徴とする。これによって、再度コマンドまたはデータを与える処理を実行する際に、入出力ポートの状態が入力状態に変化さられて信号レベルが適宜変化する信号が入力するようになる。
【００１９】
【発明の実施の形態】
以下添付図面を参照して本発明に係るディジタルボタン電話機及びデータ処理装置を説明する。図４のディジタルボタン電話機と同一構成要素に同一符号を付して図１に示した本発明の実施例に係るディジタルボタン電話機は、主装置との間で情報の送受を行うピンポン伝送ＩＣ１、多機能コーデック２Ｂ、ＭＰＵ（マイクロコンピュータ）３、入出力コントローラ４、ダイヤルキーやＬＥＤ及びフックスイッチ等から構成される入出力部５を備える。
【００２０】
ピンポン伝送ＩＣ１は、ディジタル信号によって音声信号及び制御信号を送受する。ピンポン伝送ＩＣ１のＢ１ｏｕｔ端子は、主装置から送られてきたディジタル音声信号を出力する端子であり、Ｂ１ｉｎ端子は、多機能コーデック２Ｂから到来するディジタル音声信号の入力端子である。
【００２１】
また、ピンポン伝送ＩＣ１のＢＣＬＫ端子は、上記の２つのディジタル音声信号の基本クロックの出力端子であり、基本クロックの１クロックと音声信号の１ビットが対応する。また、Ｆｓｙｎｋ端子は、フレームクロックの出力端子であり、基本クロックの所定個毎にフレームクロックの１クロックが現れ、音声データの区切りを示す。
【００２２】
多機能コーデック（ＣＯＤＥＣ）２Ｂは、主装置から受信したディジタル信号の復号化及びアナログ化を行い、また、主装置へ送出するアナログ信号の符号化及びディジタル化を行うものである。符号化と復号化はコーダ／デコーダ２１が行い、アナログ化はＤＡコンバータ２３、２５が行い、ディジタル化はＡＤコンバータ２４、２６が行う。
【００２３】
スピーチネットワーク２２は、ディジタル信号の状態においてハンドセットやスピーカホンというような通話形態の相違に応じた信号レベルへの変換を行う音声スイッチやエコーキャンセラまた信号経路を切り替えるマルチプレクサ等を含むものである。ＤＡコンバータ２３、２５、ＡＤコンバータ２４、２６はアナログアンプを介してハンドセット６１、スピーカ６２、マイクロホン６３に接続されている。
【００２４】
また、多機能コーデック２Ｂに備えられているＭＰＵインタフェース２７には、ＭＰＵ３により与えられるコマンドやデータを蓄積しておくためのレジスタ２７Ｒが備えられており、このレジスタ２７Ｒに書き込まれた情報（コマンド、データ）を受けてＭＰＵインタフェース２７は通話回路のゲイン、音声信号の経路制御等を行う。
【００２５】
ＭＰＵ３は、入出力コントローラ４を介して入出力部５におけるフックスイッチの動きやキー操作に係る情報を受け取り、またＬＥＤの点灯や消灯の制御を行う。また、ＭＰＵ３は、ピンポン伝送ＩＣ１を介して主装置と制御信号の送受を行うと共に、ＭＰＵインタフェース２７にレジスタ２７Ｒに書き込むべきコマンドやデータ等を与えて多機能コーデック２Ｂの制御を行っている。
【００２６】
本実施例に係るディジタルボタン電話機は、多機能コーデック２Ｂのコーダ／デコーダ２１がフレームクロックＳＹＮＣを受けるポートとして、出力状態と入力状態との切り替えが可能な図２に示すような入出力ポート１０を設ける。
【００２７】
入出力ポート１０は、端子１１によりピンポン伝送ＩＣ１側の信号線に設けられた抵抗Ｒに接続される。入出力ポート１０の出力状態（出力ポートモード）を得るためには、論理回路１３のイネーブル端子にＨレべルが与えられる。これにより論理回路１３のデータ端子の入カレベルに対応して論理回路１３の出力端子に出力が現れる。論理回路１３のデータ端子にＨレベルを与えることにより、出力端子１３−１にＬレべルが出力され、ＰＭＯＳ−ＦＥＴ（以下、ＰＭＯＳ）１４がオンとなり接続点Ｐ１に電圧ＶＤＤが現れてフレームクロックＳＹＮＣの受け入れを阻止して出力状態（出力ポートモード）を実現する。
【００２８】
また、論理回路１３のデータ端子及びイネーブル端子にＨレベルが与えられる出力状態（出力ポートモード）では、上記論理回路１３の出力端子１３−２にＬレベルが出力されてＮＭＯＳ−ＦＥＴ（以下、ＮＭＯＳ）１８がオフであり、論理回路１３の出力端子１３−１の信号レベルがＬレベルでありＰＭＯＳ１７はオンとなり、Ｐ３点にも電圧ＶDDが現れて、端子１１へ電圧ＶDDが出力される。
【００２９】
入出力ポート１０の入力状態（入カポートモード）を得るためには、論理回路１３のイネーブルにＬレベルを入力する。これにより論理回路１３の出力端子１３−１にＨレベル１３−２端子にＬレベルが出力され、ＰＭ０Ｓ１７、ＮＭ０Ｓ１８がオフとなる。また、１３−２端子にＬレベルが出力されることによりＰＭＯＳ４がプルアップ抵抗の機能を成すように動作し、接続点Ｐ１にフレームクロックＳＹＮＣを受け入れる入力状態（入カポートモード）を実現する。
【００３０】
上記入力状態（入カポートモード）の時には、ＰＭ０Ｓ１５とＮＭ０Ｓ１６は端子１１にＬレベルが到来すると端子１２がＬレベルに、また、端子１１にＨレベルが到来すると端子１２がＨレベルになるようにオンオフするバッファを構成しており、入力状態（入カポートモード）の時には、フレームクロックＳＹＮＣと同じ信号が端子１２に現れる。
【００３１】
上記の端子１２からの出力はコーダ／デコーダ２１へ与えられ、論理回路１３の入力データと入力イネーブルとは、ＭＰＵ３の制御を受けたＭＰＵインタフェース２７がコントロールを行う。
【００３２】
ＭＰＵ３は、端子１１の信号を信号線３１を介して取り込み、信号レベルが適宜変化するか否か（フレームクロックＳＹＮＣが到来しているか否か）を監視する。
【００３３】
以上のように構成されたディジタルボタン電話機では、電源投入直後には、入出力ポート１０が出力状態（出力ポートモード）であるが、ＭＰＵ３の制御によりレジスタ２７Ｒにコマンドやデータが書き込まれて入力状態（入力ポートモード）へ変えられて動作が行われる。
【００３４】
この状態においてＭＰＵ３は、端子１１の信号を信号線３１を介して取り込み、信号レベルが適宜変化するか否か（フレームクロックＳＹＮＣが到来しているか否か）を監視している。ここで、多機能コーデック２Ｂがリセットしてレジスタ２７Ｒの内容が消失すると、論理回路１３へ入力されるデータとイネーブルの信号レベルに変化が生じ、論理回路１３の出力端子１３−２にＬレベルが出力され、出力端子１３−１の信号レベルがＬレベルとなり、接続点Ｐ１に電圧ＶDDが現れてフレームクロックＳＹＮＣの受け入れを阻止する出力状態（出力ポートモード）が実現される。
【００３５】
つまり、ＭＰＵ３は、端子１１の信号を信号線３１を介して取り込み、信号レベルが適宜変化するか否かを監視しているが、一定の電圧ＶDDが入力するので、多機能コーデック２Ｂがリセットしたことを検出する。そこで、ＭＰＵ３は、先にレジスタ２７Ｒに書き込んだコマンドやデータ等を再度書き込む。これにより、多機能コーデック２Ｂはリセット状態から復旧する。
【００３６】
図３には、本発明を適用した表示処理装置の構成図が示されている。この表示処理装置は、データ処理（ここでは、表示処理）を行うデータ処理ブロックを構成する表示処理部７０と、表示処理部７０を制御する制御ブロックを構成するＭＰＵ８０とを具備する。
【００３７】
表示処理部７０は、コントローラ７１と表示（ＬＣＤ）パネル７２とを有し、コントローラ７１には、ＭＰＵインタフェース７３、ＬＣＤコントローラ・ドライバ７４、表示ＲＡＭ７５が備えられている。
【００３８】
ＭＰＵインタフェース７３は、チップセレクトＣＥ、コマンド・データＣＤの制御信号を受けながら、８ビットのバスラインＰ０〜Ｐ７を介してコマンドまたはデータと表示位置の情報を受けてＬＣＤコントローラ・ドライバ７４へ送出する。ＬＣＤコントローラ・ドライバ７４は、これを受けて表示データと表示位置の情報である場合には、表示ＲＡＭ７５の該当エリアへ格納し、表示パネル７２へ表示を行う際に用いる。また、コマンドを受けた場合、ＬＣＤコントローラ・ドライバ７４は、対応する制御を行う。
【００３９】
上記の表示処理部７０は、不要ノイズ等の影響によってリセットされると表示ＲＡＭ７５に記憶されたデータが破壊される等により表示が適切に行われなくなる。そこで、本実施の形態では、ＭＰＵインタフェース７３のバスラインＰ０に対応するポートに、図２に示した入出力ポート１０を採用する。
【００４０】
バスラインＰ０には抵抗Ｒ２が設けられ、この抵抗Ｒ２よりも表示処理部７０側のバスラインＰ０から信号線８１がＭＰＵ８０へ折り返されている。
【００４１】
以上のような構成においてＭＰＵ８０と表示処理部７０とは次のように動作を行う。電源投入直後及びリセット直後においては、８ビットのバスの上位４ビット（Ｐ４〜Ｐ７）で制御を行っており、その４ビット制御の中で８ビット制御へ切り替えるコマンドをＭＰＵ８０からコントローラ７１へ送って８ビット制御への切り替えがなされる。
【００４２】
図１に示した実施の形態の場合と同様に、電源投入直後には、ＭＰＵインタフェース７３におけるバスラインＰ０に対応する入出力ポート１０は、出力ポートの状態となる。そして、上位４ビット（Ｐ４〜Ｐ７）の制御を行ってＭＰＵ８０の指示により、バスラインＰ０に対応する入出力ポート１０は、入力ポートへ切り替えられる。
【００４３】
ＭＰＵ８０は、最下位ビットのバスラインＰ０のレベルをモニタし、自装置から出力した信号レベルと一致するかを監視する。コントローラ７１が外乱等によりリセットすると、バスラインＰ０に対応する入出力ポート１０は、出力ポートへ切り替わる。最下位ビットのバスラインＰ０のレベルは、データの最下位ビットであるから適宜変化するので、このビットを監視することにより上記のようにバスラインＰ０に対応する入出力ポート１０が出力ポートへ切り替わるリセットを適切に検出することができる。
【００４４】
これを検出したＭＰＵ８０は、再度上位４ビット（Ｐ４〜Ｐ７）の制御を行ってＭＰＵ８０の指示により、バスラインＰ０に対応する入出力ポート１０を、入力ポートへ切り替える。また、表示ＲＡＭ７５のデータの復旧を行う。
【００４５】
【発明の効果】
以上説明したように請求項１に記載の本発明に係るデータ処理装置によれば、データ処理ブロックに出力状態と入力状態との切り替えが可能な入出力ポートを設け、リセットとなると前記入出力ポートを出力状態とし、制御ブロックからの制御に応じて前記入出力ポートの状態を変化させ、制御ブロックにおいて、入出力ポートへ送出される信号を監視して、監視結果に基づき再度コマンドまたはデータを与える処理を実行するので、リセットとなると入出力ポートが出力状態となり、信号送出手段により入出力ポートへ送出される信号が検出できなくなり、リセットとなったことを検出でき、再度コマンドまたはデータを与えることができ、リセットに備えた高速処理を行う必要がなく、また、標準化されたポート数を変えることなく適切な処理を行うことが可能である。
【００４６】
また、請求項２に記載の本発明に係るデータ処理装置によれば、制御ブロックが、再度コマンドまたはデータを与える処理を実行する際には、入出力ポートの状態を入力状態に変化させるので、リセット前の状態へ適切に復旧できる。
【００４７】
また、請求項３に記載の本発明に係るディジタルボタン電話機によれば、コマンドまたはデータを受けて蓄積し、この蓄積したコマンドまたはデータを用いて電話に関する処理を行うと共に、リセットとなると前記蓄積したコマンドまたはデータが消失するように構成されたコーデックと、前記コーデックにコマンドまたはデータを与える共に、前記コーデックがリセットとなると再度コマンドまたはデータを与えるマイクロコンピュータとを具備し、前記コーデックに設けられ、出力状態と入力状態との切り替えが可能な入出力ポートと、主装置と前記コーデックとの間で伝送処理を行うと共に、前記入出力ポートに対して信号レベルが適宜変化する信号を送出する伝送処理ブロックと、リセットとなると前記入出力ポートを出力状態とし、前記マイクロコンピュータからの制御に応じて前記入出力ポートの状態を変化させるポート制御手段とを有し、前記マイクロコンピュータは、前記伝送処理ブロックにより前記入出力ポートへ送出される信号を監視して、監視結果に基づき再度コマンドまたはデータを与える処理を実行するので、リセットとなると入出力ポートが出力状態となり、信号送出手段により入出力ポートへ送出される信号が検出できなくなり、リセットとなったことを検出でき、再度コマンドまたはデータを与えることができ、リセットに備えた高速処理を行う必要がなく、また、標準化されたポート数を変えることなく適切な処理を行うことが可能である。
【００４８】
また、請求項４に記載の本発明に係るディジタルボタン電話機によれば、前記マイクロコンピュータが、再度コマンドまたはデータを与える処理を実行する際には、前記入出力ポートの状態を入力状態に変化させるので、リセットから適切に復旧することができる。
【図面の簡単な説明】
【図１】本発明の実施の形態に係るディジタルボタン電話機の構成図。
【図２】本発明の実施の形態に係るディジタルボタン電話機の要部詳細構成図。
【図３】本発明の実施の形態に係るデータ処理装置の構成図。
【図４】従来のディジタルボタン電話機の構成図。
【図５】従来例を改良したディジタルボタン電話機の構成図。
【符号の説明】
１  ピンポン伝送ＩＣ                  ２Ｂ  多機能コーデック
３  ＭＰＵ（マイクロコンピュータ）    ４  入出力コントローラ
５  入出力部                          １０  入出力ポート
２７  ＭＰＵインタフェース            ２７Ｒ  レジスタ
【図１】
0004153655.tif 000002
【図２】
0004153655.tif 000003
【図３】
0004153655.tif 000004
【図４】
0004153655.tif 000005
【図５】
0004153655.tif 000006